(57)【要約】 【課題】  枠体に対してハウジングを正規の組み付け状態に保持する。【解決手段】  電気接続箱は回路構成体１０をケース２０に収容して構成される。回路構成体１０は、回路基板１１と、回路基板１１に沿って配索されたバスバー１２に接続される端子金具１４を備え、ケース２０は、回路基板１１の周縁に沿って配置されるとともに端子金具１４の一端部１４ａを保持する枠構成体２３と、枠構成体２３に組み付けられて端子金具１４の他端部１４ｂを保持するハウジング４０を備えている。組み付けられた枠構成体２３とハウジング４０は、その保持溝７２と保持突起４５の嵌合により、組み付け方向と交差する方向への相対変位を規制された状態に保持される。【選択図】  図１３
2006158072.tif 000002
【特許請求の範囲】
【請求項１】
回路構成体をケースに収容してなり、
前記回路構成体は、回路基板と、前記回路基板に沿って配索されたバスバーに接続される端子金具とを備えており、
前記ケースは、前記回路基板の周縁に沿って配置されるとともに前記端子金具の一端部を保持する枠体と、前記枠体に組み付けられて前記端子金具の他端部を保持するハウジングとを備えているものにおいて、
前記枠体と前記ハウジングには、組付け状態で互いに嵌合することにより、前記枠体と前記ハウジングを組付け方向と交差する方向への相対変位を規制した状態に保持する保持部が設けられていることを特徴とする電気接続箱。
【請求項２】
前記保持部が、前記枠体に対する前記ハウジングの組み付け方向と平行に延びた形態とされていることを特徴とする請求項１記載の電気接続箱。
【請求項３】
前記保持部の横断面形状が略Ｔ字形をなすことを特徴とする請求項１又は請求項２記載の電気接続箱。
【発明の詳細な説明】
【技術分野】
【０００１】
本発明は、電気接続箱に関するものである。
【背景技術】
【０００２】
自動車に搭載される電気接続箱として、回路構成体をケースに収容した構造のものがある。回路構成体は、回路基板と、回路基板に沿って配索したバスバーと、回路基板に実装されるリレー等のスイッチング部材とを備えて構成される。回路基板の周縁部からは、バスバーの端部を曲げ加工して形成した端子部が突出されている。一方、ケースは、回路基板の周縁に沿って回路構成体を包囲するように配置される枠体を有する。枠体にはヒューズ収容部が設けられ、ヒューズ収容部においては、バスバーの端子部と端子金具の一方の接続部とがヒューズによって接続されている。尚、電気接続箱としては、特許文献１に開示されているもの等がある。
【特許文献１】特開２００３−１６４０３９公報
【発明の開示】
【発明が解決しようとする課題】
【０００３】
上記のような電気接続箱においては、枠体にハウジングを組み付け、このハウジングによって端子金具の他方の接続部を保持し、ハウジングに対して外部ハーネスのコネクタを嵌合することで電力を外部へ供給する構造をとることができる。このような構造においては、端子金具が枠体とハウジングの両方に保持されているため、枠体に対してハウジングが正しい向き及び位置関係で組み付けられないと、端子金具に変形を生じさせることが懸念される。  
本発明は上記のような事情に基づいて完成されたものであって、枠体に対してハウジングを正規の組み付け状態に保持することを目的とする。
【課題を解決するための手段】
【０００４】
上記の目的を達成するための手段として、請求項１の発明は、回路構成体をケースに収容してなり、前記回路構成体は、回路基板と、前記回路基板に沿って配索されたバスバーに接続される端子金具とを備えており、前記ケースは、前記回路基板の周縁に沿って配置されるとともに前記端子金具の一端部を保持する枠体と、前記枠体に組み付けられて前記端子金具の他端部を保持するハウジングとを備えているものにおいて、前記枠体と前記ハウジングには、組付け状態で互いに嵌合することにより、前記枠体と前記ハウジングを組付け方向と交差する方向への相対変位を規制した状態に保持する保持部が設けられているところに特徴を有する。
【０００５】
請求項２の発明は、請求項１に記載のものにおいて、前記保持部が、前記枠体に対する前記ハウジングの組み付け方向と平行に延びた形態とされているところに特徴を有する。
【０００６】
請求項３の発明は、請求項１または請求項２に記載のものにおいて、前記保持部の横断面形状が略Ｔ字形をなすところに特徴を有する。
【発明の効果】
【０００７】
＜請求項１の発明＞
組み付けられた枠体とハウジングは、その保持部同士の嵌合により、組み付け方向と交差する方向への相対変位を規制された状態に保持される。
【０００８】
＜請求項２の発明＞
保持部が、枠体に対するハウジングの組み付け方向と平行に延びた形態とされているので、ハウジングの組み付け過程では保持部同士の嵌合によって枠体に対するハウジングの姿勢が一定に保たれ、ハウジングの姿勢の傾きに起因して組み付け作業に支障を来たすことが防止される。また、保持部同士の嵌合によって、ハウジングが枠体に対して正規の組み付け位置へ案内されるので、組付けの作業性に優れている。
【０００９】
＜請求項３の発明＞
保持部の横断面形状が略Ｔ字形をなすので、例えば、Ｉ字形断面のものと比較して、保持部の剛性が高くなる。
【発明を実施するための最良の形態】
【００１０】
＜実施形態１＞
以下、本発明を具体化した実施形態１を図１乃至図１６を参照して説明する。本実施形態の電気接続箱は、自動車に搭載され、バッテリ（図示せず）とランプ、オーディオ等の図示しない電装品との間に介設され、バッテリから供給される電力を各電装品に分配・供給するとともに、これら電力供給の切り替え等の制御を行うものである。尚、図においては、電気接続箱を表面側が上向きとなるように描いているが、自動車に搭載されるときには、電気接続箱は枠構成体２３が上側に位置し、第１ハウジング４０と第２ハウジング５０が下向きに開口する向きで車体に固定される。
【００１１】
電気接続箱は、回路構成体１０と、回路構成体１０を収容するケース２０とを備えて構成される。  
回路構成体１０は、図２に示すように、回路基板１１と、回路基板１１の裏面（図における下面）に沿って配索した複数のバスバー１２と、回路基板１１の表面側（図における上面側）に実装されるリレーなどのスイッチング部材１３と、端子金具１４を備えて構成されている。回路基板１１は、概ね方形をなし、その下端縁のうち略左半分の領域は上端縁に対して斜めをなす傾斜縁部となっている。
【００１２】
バスバー１２は回路基板１１の裏面に接着されており、バスバー１２の端部に形成した複数の第１端子部１５Ａが回路基板１１の前端縁から突出されているとともに、同じくバスバー１２の端部に形成した複数の第２端子部１５Ｂが回路基板１１の下端縁から突出されている。第１端子部１５Ａは、回路基板１１に対して略直角に表面側（上向き）に立ち上がる支持部１６Ａと、この支持部１６Ａの立ち上がり端から前方（回路基板１１とは反対側）へ略直角に（回路基板１１とほぼ平行に）延出する接続部１７Ａとから構成され、側方から見て略Ｌ字形をなす。この複数の第１端子部１５Ａは、回路基板１１の上端縁に沿って並列している。一方、第２端子部１５Ｂは、回路基板１１に対して略直角に表面側（上向き）に立ち上がる支持部１６Ｂと、この支持部１６Ｂの立ち上がり端から後方（回路基板１１とは反対側）へ略直角に（回路基板１１とほぼ平行に）延出する接続部１７Ｂとから構成され、側方から見て略Ｌ字形をなす。この複数の第２端子部１５Ｂは、回路基板１１の下端縁のうち傾斜縁部よりも右方の領域（上端縁と平行に領域）に沿って並列している。
【００１３】
図５に示すように、端子金具１４は、金属板材を曲げ加工したものであり、全体として前後方向に細長い形状をなす。端子金具１４の略前半領域は、第１端子部１５Ａの接続部１７Ａとほぼ同形状のヒューズ接触部１４ａ（本発明の「端子金具の一端部」に相当する）となっており、端子金具１４の略後半領域は、第２端子部１５Ｂの接続部１７Ｂと同様にタブ状をなす出力用接触部１４ｂ（本発明の「端子金具の他端部」に相当する）となっている。この端子金具１４は、後述する枠構成体２３と第１ハウジング４０に取り付けられる。
【００１４】
図１、図３に示すように、ケース２０は、合成樹脂等の絶縁材料からなる枠体２１と、枠体２１に対しその裏側の開口を塞ぐように固着される金属製の放熱板３０と、枠体２１に対しその表面側（放熱板３０とは反対側）の開口を塞ぐように組み付けられる合成樹脂製のカバー６０と、枠体２１に組み付けられる合成樹脂製の第１ハウジング４０（本発明の構成要件であるハウジング）と、枠体２１に組み付けられる合成樹脂製の第２ハウジング５０とを備えている。
【００１５】
枠体２１は、図４に示すように、枠本体２２と、ヒューズボックスとして機能する枠構成体２３との２部品を合体させて構成され、回路基板１１の周縁に沿って回路構成体１０を全周に亘って連続して包囲するように配置されているとともに、放熱板３０の表面に接着剤（図示せず）により固定されている。枠本体２２は、回路基板１１の周縁のうち下端縁及び左右両側縁に沿うように概ね「コ」字形をなす。詳しくは、枠本体２２の後枠部２２Ｂの略左半分領域は、回路基板１１の下端縁の傾斜縁部に沿うように、枠本体２２の左右両枠部２２Ｌ，２２Ｒに対して斜めを向いた傾斜枠部２２Ｓとなっている。また、後枠部２２Ｂのうち傾斜枠部２２Ｓよりも右方の領域は、第２端子部１５Ｂよりも後方に位置する。
【００１６】
枠本体２２には、図４に示すように、その左右両枠部２２Ｌ，２２Ｒの前端部同士（即ち、枠本体２２における枠構成体２３との連結端部同士）を連結した形態の第１連結部２４Ａが形成されている。この第１連結部２４Ａは、第１端子部１５Ａの支持部１６Ａに対して後方（回路基板１１側であり、接続部１７Ａとは反対側）から当接するように位置する。この第１連結部２４Ａには、各支持部１６Ａと対応するように第１連結部２４Ａの長さ方向と直角な板状の補強部２５が複数形成されている。また、枠本体２２には、右枠部２２Ｒの後端に近い位置と傾斜枠部２２Ｓのほぼ中央位置とを連結した形態であって、後枠部２２Ｂと略平行をなす第２連結部２４Ｂが形成されている。第２連結部２４Ｂは、第２端子部１５Ｂの支持部１６Ｂに対して前方（回路基板１１側であり、接続部１７Ｂとは反対側）から当接するように位置する。
【００１７】
枠構成体２３は、回路基板１１の上端縁に沿って配置され、接着剤（図示せず）により放熱板３０の表面に固着されているとともに、接着剤（図示せず）により枠本体２２に固着されている。また、枠構成体２３の左右両端部と、枠本体２２の左右両枠部２２Ｌ，２２Ｒの前端部とが、ビス（図示せず）により固定されている。枠構成体２３内には、前後方向に貫通する複数のキャビティ２６Ａ，２６Ｂが上下２段に分かれて左右方向に並列して形成されており、第１端子部１５Ａの接続部１７Ａが、下段側のキャビティ２６Ｂに対して後方から挿入されている。挿入された第１端子部１５Ａは、接続部１７Ａの係止孔１８Ａをキャビティ２６Ｂのランス２７Ｂに係止させることで、抜止め状態に保持されている。そして、枠構成体２３のうち、下段側のキャビティ２６Ｂよりも下方の部分２３Ａが、第１端子部１５Ａの接続部１７Ａよりも裏面側（即ち、接続部１７Ａと放熱板３０との間）に配置されることになる。
【００１８】
枠構成体２３の表面（上面）には、上方及び後方（回路基板１１側）へ開放された横長で浅く凹まされた嵌合凹部７０が形成されている。嵌合凹部７０の前面壁からは、幅寸法が嵌合凹部７０よりも狭く後方へ板状に延出した形態の当接部７１が形成されており、この当接部７１には、その後端縁から前方へ左右一対のスリットを切り込むことにより上下方向へ弾性撓み可能なロックアーム２３Ｂが形成されている。
【００１９】
また、枠構成体２３には、図４に示すように、その幅方向における略中央位置において嵌合凹部７０よりも下方であり且つ嵌合凹部７０と連通する形態の保持溝７２（本発明の「枠体の保持部」に相当する）が、後面に開口して形成されている。この保持溝７２の横断面形状（枠構成体２３に対する第１ハウジング４０の組付け方向と直交する断面形状）は「逆Ｔ字」形、即ち「凸字」形をなしている。保持溝７２は、第１ハウジング４０の組付け方向（即ち、前後方向）に沿って穿孔され、保持溝７２の内面は第１ハウジング４０の組付け方向と平行をなしている。さらに、嵌合凹部７０の左右両端部には、軸線を上下方向に向けた一対の雌ネジ孔７３が形成されている。
【００２０】
放熱板３０は、回路基板１１と概ね相似形であり、且つ回路基板１１よりも一回り大きい形状をなす板本体３１と、板本体３１の前端縁から裏面側前方へ段差状に延出した形態の板状のブラケット３２とを一体形成したものである(図３参照)。板本体３１の表面には、バスバー１２の裏面が接着剤（図示せず）により固着され、固着された状態では、回路基板１１とバスバー１２（端子部１５Ａ，１５Ｂを含む）は、放熱板３０の周縁から外側へ突出することがなく、放熱板３０の表裏方向（上下方向）に視た投影面内に配置される。ブラケット３２は、ボルト（図示せず）により車体に固定される。
【００２１】
図１、図５に示すように、第１ハウジング４０は、後方に開口する左右２つの筒状嵌合部４１と、前方に突出する横長の嵌合板部４３とを有している。ロック突起４２とを有している。第１ハウジング４０には、複数の端子金具１４が、その出力用接触部１４ｂを前方から圧入させることによって組み付けられ、組み付け状態では、出力用接触部１４ｂが筒状嵌合部４１内に収容されるとともに、ヒューズ接触部１４ａが第１ハウジング４０から前方に突出されている。嵌合板部４３には、その上面を浅く凹ませた形態の逃がし凹部４４が形成され、この逃がし凹部４４の上面にはロック突起４２が形成されている。また、第１ハウジング４０には、その前面から前方へ突出する保持突起４５（本発明のハウジングの「保持部」に相当する）が形成されている。保持突起４５の横断面形状（枠構成体２３に対する第１ハウジング４０の組付け方向と直交する断面形状）は、枠構成体２３の保持溝７２と同じく「逆Ｔ字」形、即ち「凸字」形をなしている。保持突起４５は、第１ハウジング４０の組付け方向（即ち、前後方向）に沿って突出され、保持突起４５の外面は第１ハウジング４０の組付け方向と平行をなしている。保持突起４５の上端部は嵌合板部４３の下面に連なっている。また、嵌合板部４３の左右両端部には、軸線を上下方向に向けた一対のビス孔４３Ｈが形成されている。さらに、第１ハウジング４０には、筒状嵌合部４１の下端における後縁及び左右両縁に沿って外向き水平（枠体２１に対するカバー６０の組付け方向と直角な方向）に張り出す係止部４６が形成されている。この係止部４６は、両筒状嵌合部４１の間の領域及び筒状嵌合部４１よりも外側方の領域にも形成されている。
【００２２】
かかる第１ハウジング４０は枠構成体２３に対して後方から組み付けられる。組み付けの過程では、ヒューズ接触部１４ａが枠構成体２３の上段側のキャビティ２６Ａに後方から差し込まれ、その係止孔１４ｃにキャビティ２６Ａ内のランス２７Ａを係止させることで、抜止め状態に保持されている。また、組付けの過程では、嵌合板部４３が嵌合凹部７０に対して上下左右方向（組付け方向と直交する方向）へのガタつきなく嵌合されるとともに、保持突起４５が保持溝７２内に上下左右方向のガタ付きなく嵌入される。また、当接部７１が逃がし凹部４４に嵌合され、ロックアーム２３ｂが上方へ弾性撓みしつつロック突起４２を乗り越え、第１ハウジング４０と枠構成体２３が正規の組付け状態に至ると、ロックアーム２３Ｂが弾性復帰してロック突起４２に係止し、もって、第１ハウジング４０は枠構成体２３に対して組付け状態にロックされている。組み付けられた第１ハウジング４０は、第１端子部１５Ａよりも表面側（回路基板１１とは反対側）に位置する。
【００２３】
枠構成体２３には、上段側のキャビティ２６Ａと下段側のキャビティ２６Ｂに連通するヒューズ収容空間２８が形成されており、このヒューズ収容空間２８内においては、下段側に位置する第１端子部１５Ａの接続部１７Ａと上段側に位置する端子金具１４のヒューズ接触部１４ａとがヒューズ（図示せず）によって接続されている。
【００２４】
図４に示すように、第２ハウジング５０は、後方に開口するとともに、左右に仕切られた２つの筒状嵌合部５１を有する。第２ハウジング５０は、枠本体２２の後枠部２２Ｂにおける傾斜枠部２２Ｓよりも右方の領域（第２連結部２４Ｂと略平行な領域）の表面に組み付けられ、第２ハウジング５０の左右両端部においてビス（図示せず）により固定されている。組付けの過程では、第２端子部１５Ｂの接続部１７Ｂが第２ハウジング５０に対して前方から相対的に貫通され、組付け状態では、接続部１７Ｂが筒状嵌合部５１内に収容されている。また、第２ハウジング５０は第２連結部２４Ｂよりも後方に位置する。
【００２５】
図６に示すように、カバー６０は、全体として回路基板１１とほぼ相似形であって、回路基板１１よりも一回り大きい形状をなす。カバー６０には、第１ハウジング４０の２つの筒状嵌合部４１との干渉を回避するために前端縁を方形に切欠した形態の左右一対の切欠部６１が形成されている。この切欠部６１の開口縁部は、第１ハウジング４０の係止部４６に対して上から（即ち、枠構成体２３に対する第１ハウジング４０の組付け方向と直角な方向から）当接する押え部６５となっている。また、切欠部６１における後側の縁部は、筒状嵌合部４１の前端面に対し前方（枠構成体２３に対する第１ハウジング４０の組付け方向と同じ方向）に当接する規制部６６となっている。
【００２６】
また、カバー６０の前端縁には、表面側へ立ち上がる取付部６２が左右一対形成され、各取付部６２には、軸線を上下方向に向けたビス孔６２Ｈが形成されている。さらに、カバー６０の左右両側縁には、前後方向に細長く延びる係止リブ６３が形成され、係止リブ６３には、弾性係止片６４が形成されている。かかるカバー６０は、表面側から枠体２１に対して組み付けられ、係止リブ６３の弾性係止片６４が枠本体２２の左右両外側面の係止突起２９に係止することで、カバー６０が組付け状態に対して組付け状態にロックされる。また、取付部６２は第１ハウジング４０の表面側に当接され、表面側から取付部６２のビス孔６２Ｈと第１ハウジング４０のビス孔４３Ｈを貫通して枠構成体２３の雌ネジ孔７３にねじ込んだビス（図示せず）により、カバー６０と第１ハウジング４０と枠構成体２３とが固定される。
【００２７】
次に、電気接続箱の組み付け手順を説明する。  
組付けに際しては、まず、スイッチング部材１３が実装されていない回路基板１１とバスバー１２を接着剤（図示せず）により固着し、次いでバスバー１２と放熱板３０を接着する。このとき、回路基板１１にはスイッチング部材１３が実装されていないので、回路基板１１の表面を広い領域に亘って押圧することにより、バスバー１２と放熱板３０とを強固に接着させることができる。
【００２８】
次に、回路基板１１にスイッチング部材１３を実装し（図２及び図８を参照）、これにより、回路構成体１０が概ね組み上がる（図３及び図９を参照）。この後、放熱板３０に対し、表面側から枠本体２２を接近させつつ接着剤（図示せず）により固着する（図４及び図１０を参照）。枠本体２２が固着された後、枠本体２２に対し前方から枠構成体２３を接近させつつ組み付けることで、下段側のキャビティ２６Ｂに第１端子部１５Ａの接続部１７Ａを挿入させるとともに、枠構成体２３のうち下段側のキャビティ２６Ｂよりも裏面側の部分２３Ａを第１端子部１５Ａと放熱板３０との間の空間（第１端子部１５Ａよりも裏面側の空間）に配置させる（図５及び図１１を参照）。枠構成体２３の組付け時に、枠構成体２３と放熱板３０とが接着剤（図示せず）により固着されるとともに、枠構成体２３と枠本体２２とが接着剤（図示せず）により固着され、もって、枠体２１が構成される。尚、本実施形態では、枠本体２２を枠構成体２３よりも先に組み付けたが、枠本体２２よりも先に枠構成体２３を組み付けてもよい。このように、枠本体２２と枠構成体２３を別々に組み付けることができるので、枠構成体２３を第１端子部１５Ａの裏側に配置させることに支障はない。
【００２９】
このように回路基板１１を全周に亘って包囲する枠体２１が構成されるとともに、回路基板１１とバスバー１２を裏面側から覆う放熱板３０が枠体２１に固定された後は、枠体２１と放熱板３０とによって構成された凹部内に防水用の充填材（図示せず）を注入する。充填材は、バスバー１２における第１端子部１５Ａと第２端子部１５Ｂとを除いた領域（即ち、回路基板１１の裏面に沿って配索されている領域）と、回路基板１１の全体と、回路基板１１におけるスイッチング部材１３との接触部分を覆い、これにより、回路基板１１とバスバー１２とスイッチング部材１３の導通部分に対する浸水や異物の干渉が防止される。
【００３０】
この後は、枠構成体２３に対して第１ハウジング４０を組み付けるとともに、端子金具１４のヒューズ接触部１４ａを上段側のキャビティ２６Ａ内に挿入させ、枠構成体２３のロックアーム２３Ｂとロック突起４２との係止により、第１ハウジング４０と枠構成体２３を組付け状態にロックする。また、この第１ハウジング４０の組付けと前後して、第２ハウジング５０を枠本体２２に組み付けるとともに、第２端子部１５Ｂを第２ハウジング５０に取り付け、ビス（図示せず）により第２ハウジング５０と枠本体２２とを組付け状態にロックする（図６及び図１２を参照）。
【００３１】
最後に、カバー６０を表面側から枠体２１に組み付け、弾性係止片６４と係止突起２９の係止により、組付け状態にロックするとともに、ビス（図示せず）によりカバー６０と第１ハウジング４０と枠構成体２３とを固定する（図１及び図７を参照）。このカバー６０により、回路基板１１とスイッチング部材１３が覆い隠される。
【００３２】
上述のように本実施形態においては、組み付けられた枠構成体２３と第１ハウジング４０は、枠構成体２３に設けた保持溝７２と第１ハウジング４０に設けた保持突起４５との嵌合により、組み付け方向と交差する方向（上下左右方向）への相対変位を規制された状態に保持されるので、端子金具１４の変形を防止することができる。
【００３３】
また、保持突起４５と保持溝７２が、枠構成体２３に対する第１ハウジング４０の組み付け方向と平行に延びた形態とされているので、第１ハウジング４０の組み付け過程では保持溝７２と保持突起４５の嵌合によって枠構成体２３に対する第１ハウジング４０の姿勢が一定に保たれ、第１ハウジング４０の姿勢の傾きに起因して組み付け作業に支障を来たすことが防止される。また、保持突起４５と保持溝７２の嵌合によって、第１ハウジング４０が枠構成体２３に対して正規の組み付け位置へ案内されるので、組付けの作業性に優れている。
【００３４】
また、保持突起４５と保持溝７２の横断面形状が「略Ｔ字」形をなすので、例えば、「Ｉ字形」断面のものと比較すると、保持突起４５の剛性が高くなっている。
【００３５】
また、第１ハウジング４０は枠構成体２３に対し嵌合板部４３において片持ち支持状態に組み付けられるため、この支持部分（嵌合板部４３と嵌合凹部７０との嵌合部分）を支点として第１ハウジング４０が上下方向（枠構成体２３に対する第１ハウジング４０の組付け方向と交差する方向）へ傾動することが懸念される。しかし、本実施形態では、第１ハウジング４０に係止部４６が設けられ、カバー６０には、枠構成体２３に固定された状態において係止部４６に係止することで、第１ハウジング４０が枠構成体２３への取付部（嵌合板部４３と嵌合凹部７０との嵌合部分）を支点として傾動することを規制可能な押え部６５が設けられているので、第１ハウジング４０の傾動が規制され、第１ハウジング４０は枠構成体２３に対して正規の組み付け状態に保持される。
【００３６】
また、カバー６０に設けた規制部６６が、第１ハウジング４０に対し押え部６５が係止部４６に係止する方向と略直交する方向に係止し、この係止作用により、第１ハウジング４０の枠構成体２３に対して離間方向（後方）へ変位することが規制されるようになっている。つまり、カバー６０の押え部６５と規制部６６が第１ハウジング４０に対して略直交する２方向に係止するようにしたので、第１ハウジング４０を枠構成体２３に対し、より確実に組み付け状態に保持することができる。
【００３７】
また、枠構成体２３には、第１ハウジング４０に対し、押え部６５が係止部４６に係止する方向と同じ方向に当接する当接部７１が設けられているので、第１ハウジング４０は、枠構成体２３の当接部７１とカバー６０の押え部６５とによって前後に離間した異なる２箇所で同じ方向に押え込まれるようになっており、これにより、第１ハウジング４０の傾きが確実に防止される。
【００３８】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態では枠体の保持部とハウジングの保持部を１つずつ設けたが、本発明によれば、枠体の保持部とハウジングの保持部を複数ずつ設けてもよい。  
（２）上記実施形態では枠体の保持部を溝状とし、ハウジング側の保持部を突起状としたが、本発明によれば、枠体側の保持部を突起状とし、ハウジング側の保持部を溝状としてもよい。  
（３）上記実施形態では保持部の横断面形状を略Ｔ字形としたが、本発明によれば、保持部の横断面形状はＬ字形やＩ字形などとしてもよい。
【図面の簡単な説明】
【００３９】
【図１】実施形態１の斜視図
【図２】回路構成体の斜視図
【図３】回路構成体に枠本体を組み付ける前の状態をあらわす斜視図
【図４】枠本体に枠構成体と第２ハウジングを組み付ける前の状態をあらわす斜視図
【図５】枠構成体に第１ハウジングを組み付ける前の状態をあらわす斜視図
【図６】枠体にカバーを組み付ける前の状態をあらわす斜視図
【図７】断面図
【図８】回路構成体の断面図
【図９】回路構成体に枠本体を組み付ける前の状態をあらわす断面図
【図１０】枠本体に枠構成体と第２ハウジングを組み付ける前の状態をあらわす断面図
【図１１】枠構成体に第１ハウジングを組み付ける前の状態をあらわす断面図
【図１２】枠体にカバーを組み付ける前の状態をあらわす断面図
【図１３】組付け状態の断面図
【図１４】第１ハウジングの断面図
【図１５】枠構成体の背面図
【図１６】第１ハウジングの正面図
【符号の説明】
【００４０】
１０…回路構成体
１１…回路基板
１２…バスバー
１４…端子金具
１４ａ…ヒューズ接触部（端子金具の一端部）
１４ｂ…出力用接触部（端子金具の他端部）
２０…ケース
４０…第１ハウジング（ハウジング）
４５…保持突起（保持部）
７２…保持溝（保持部）
【図１】
2006158072.tif 000003
【図２】
2006158072.tif 000004
【図３】
2006158072.tif 000005
【図４】
2006158072.tif 000006
【図５】
2006158072.tif 000007
【図６】
2006158072.tif 000008
【図７】
2006158072.tif 000009
【図８】
2006158072.tif 000010
【図９】
2006158072.tif 000011
【図１０】
2006158072.tif 000012
【図１１】
2006158072.tif 000013
【図１２】
2006158072.tif 000014
【図１３】
2006158072.tif 000015
【図１４】
2006158072.tif 000016
【図１５】
2006158072.tif 000017
【図１６】
2006158072.tif 000018